(57)【特許請求の範囲】
【請求項１】
一対の連結片を備え、
当該連結片各々は、互いに接合可能な接合面を備えた＿連結片本体と、当該連結片本体同士を吸着接合するために当該接合面＿に埋め込まれた少なくとも１個の磁石片と、＿紐体を取り付けるための取付片と、を備え、
当該連結片本体各々の接合面側に形成され、当該連結片各々が紐体引っ張り方向に相対移動するのを阻止するとともに、解除押圧された際に、一方に対し他方を紐体引っ張り方向とは異なる所定方向にスライド案内するスライド案内構造と、を備え、
前記連結片本体各々は、互いに吸着接合した状態にあって一方の連結片本体の開放端が他方の連結片本体の閉鎖端から、他方の連結片本体の開放端が一方の連結片本体の閉鎖端から、それぞれスライド方向に沿って突出しているとともに、
当該一方の連結片本体の開放端と当該他方の連結片本体の開放端とを互いに近づける方向に押圧したとき前記連結片本体同士の磁石接合の解除もしくは解除補助するように構成されている
ことを特徴とする磁石連結具。
【請求項２】
前記スライド案内構造は、
前記連結片本体各々の接合面から突出する突出壁と接合面から後退する後退壁とを含み、
当該突出壁の一方と当該後退壁の他方とが、当該突出壁の他方と当該後退壁の一方とが、それぞれ前記スライド方向にスライド接触するとともに前記紐体引っ張り方向の相対移動を阻止するように構成してある
ことを特徴とする請求項１記載の磁石連結具。
【請求項３】
前記磁石片各々の吸着面反対側には、少なくとも１枚もしくは積層した複数枚のヨーク片を配してある
ことを特徴とする請求項１または２記載の磁石連結具。
【請求項４】
スライド方向に沿って前記接合面に対する高さ寸法が異なるように構成してある部分を前記接合面側に形成した
ことを特徴とする請求項１ないし３いずれか記載の磁石連結具。
【請求項５】
前記開放端各々は、前記連結片本体各々から突出する突片からなる延長開放端により構成されている
ことを特徴とする請求項１ないし４いずれか記載の磁石連結具。
【請求項６】
前記一方の突片と他方の突片は、両者を通過する仮想直線の方向がスライド方向を横切るように配してある
ことを特徴とする請求項５記載の磁石連結具。
【発明の詳細な説明】
【技術分野】
【０００１】
本発明は、ネックレスやブレスレットなどの装身具、腰ベルトその他の着脱ベルトのような紐体両端に取り付け、紐体両端を連結したり連結解除したりするための磁石連結具に関する。
【背景技術】
【０００２】
特許文献１には、図７０に示す磁石１１１，１２１の対接面の一方にホゾ１１３（又はあり）、他方にホゾ穴１１５（又はありみぞ）を何れも引張り力がかかる方向と直角方向に形成した連結具（以下、適宜「従来の連結具」という）が開示されている。ホゾをホゾ穴に嵌合させることにより、引っ張り外力がかかったときに吸着した両磁石が容易に離脱しないような客観的機能を有している。
【先行技術文献】
【特許文献】
【０００３】
【特許文献１】実開昭６０−７９３１３号公報（第１図、第２図参照）
【発明の概要】
【発明が解決しようとする課題】
【０００４】
先に示した従来の連結具は、引っ張り力が加わったときの離脱防止の効果はあるが、その一方で連結解除しようとするときたいへん不便である。図７０から理解されるように、互いに吸着した一方の磁石から他方の磁石を離脱させるには、一方の磁石を片方の指で押さえた上で他方の磁石のもう片方の指で摘み、一方から他方を引き離す方向（図３６の上方向）に磁力に逆らいながら引っ張る必要がある。つまり、両手を使わなくてはならない。さらに、ネックレスに使用される連結具は指の腹よりもずっと小さいので、たとえば、親指と人差し指とで摘むことはなかなか難しく、両磁石をそれぞれの指で摘み引き離すことは想像以上に大変である。この大変さが、従来の連結具の欠点である。本発明が解決しようとする課題は、上述した従来の連結具の欠点を解決するものであって、両手を使わなくても、片手の、たとえば親指と人差し指で摘むだけで吸着している両磁石の一方から他方を離脱させることのできる一方、引っ張り力のかかる方向には容易に離脱しない磁石連結具を提供することにある。
【課題を解決するための手段】
【０００５】
上記課題を解決するために本発明は、吸着している両連結片の一方から他方を離脱させるために一方に対する他方のスライドを片手の指だけで行えるように、そのようなスライドを許すも引っ張り方向の容易離脱を防ぐ構造を案出した。詳しい内容については、項を改めて説明する。なお、いずれかの請求項記載の発明を説明するために行う用語の定義等は、記載順等に関わらず性質上可能な範囲において他の請求項記載の発明にも適用されるものとする。
【０００６】（請求項１に記載の発明の特徴）
請求項１記載の発明に係る磁石連結具（以下、適宜「請求項１の連結具」という）は、一対の連結片を備え、当該連結片各々は、互いに接合可能な接合面を備えた＿連結片本体と、当該連結片本体同士を吸着接合するために当該接合面＿に埋め込まれた少なくとも１個の磁石片と、＿紐体を取り付けるための取付片と、を備え、当該連結片本体各々の接合面側に形成され、当該連結片各々が紐体引っ張り方向に相対移動するのを阻止するとともに、解除押圧された際に、一方に対し他方を所定方向にスライド案内するスライド案内構造と、を備え、前記連結片本体各々は、互いに吸着接合した状態にあって一方の連結片本体の開放端が他方の連結片本体の閉鎖端から、他方の連結片本体の開放端が一方の連結片本体の閉鎖端から、それぞれスライド方向に沿って突出しているとともに、当該一方の連結片本体の開放端と当該他方の連結片本体の開放端とを互いに近づける方向に押圧したとき前記連結片本体同士の磁石接合の解除もしくは解除補助するように構成されている。一方の磁石片と他方の磁石片は、両者が互いに吸着できるものであればその材質や形状になんら制限はない。極性についても制限はないが、吸着面に表れる極性は、たとえば、一方がＮで他方がＳのような単極でもよいが、ＮとＳが複数現れる多極でもよい。【０００７】  請求項１の連結具によれば、一方の連結片と他方の連結片によって一対の連結具が構成され、連結片各々は連結片本体と取付片を備える。一方の連結片本体の接合面と他方の連結片本体の接合面とは接合可能であって、両者の接合はそれぞれに埋め込まれた一方の磁石片と他方の磁石片との吸着による。一方の連結片本体と他方の連結片本体には、それぞれに設けられた取付片さらにそれらに取り付けられた紐体を介して引っ張り力が加えられる。この引っ張り力は一方の連結片本体に対して他方の連結片本体を移動させる方向に作用するが、その移動はスライド案内構造によって阻止される。スライド案内構造は、さらに一方の連結片本体に対する他方の連結片本体を、引っ張り方向とは異なる所定方向へスライドするように案内する。一方の連結片に対する他方の連結片本体を、離間する方向に移動させるとすれば一方を押さえ他方を引き離すために両手が必要となるが、接触させた状態で移動させる、すなわちスライドさせるように構成したので、片手だけでもそれが可能である。また、それぞれの開放端が閉鎖端から突出しているのでその部分に指が掛かるが、その指は閉鎖端には掛からない。つまり、互いに近づける方向に押圧したときのその力は、それぞれの開放端にだけ加えられ閉鎖端には加えられない。これらの押圧力は互いに近づける方向、すなわち、反対方向の向きであるから片手で作用させることができ、反対側の手を使う必要がない。これが一方の開放端と同時に他方の閉鎖端にも力が加わるとするなら、両者を互いに反対方向に移動させることができないので上記した連結解除は実現しない。【０００８】（請求項２記載の発明の特徴）
請求項２記載の発明に係る磁石連結具（以下、適宜「請求項２の連結具」という）は、請求項１の連結具であって、前記スライド案内構造は、前記連結片本体各々の接合面から突出する突出壁と接合面から後退する後退壁とを含み、当該突出壁の一方と当該後退壁の他方とが、当該突出壁の他方と当該後退壁の一方とが、それぞれ前記スライド方向にスライド接触するとともに前記紐体引っ張り方向の相対移動を阻止するように構成してある。【０００９】  請求項２の連結具によれば、一方の連結片本体の突出壁と他方の連結片本体の後退壁とが、他方の連結片本体の突出壁と一方の連結片本体の後退壁とがスライド接触することにより、一方の連結片本体に対し他方の連結片本体が所定方向にスライドする。一方、このスライド接触が連結片本体各々が紐体引っ張り方向に相対移動するのを阻止する。以上によりスライド案内構造の作用効果が生じる。【００１４】（請求項３記載の発明の特徴）
請求項３記載の発明に係る磁石連結具（以下、適宜「請求項３の連結具」という）は、請求項１または２の連結具であって、前記磁石片各々の吸着面反対側には、少なくとも１枚もしくは積層した複数枚のヨーク片を配してある。【００１５】  請求項３の連結具によれば、請求項１または２の連結具の作用効果に加え、ヨーク片を配したことにより磁気回路が構成され、この結果、磁束漏れが減り、減った分磁石片（連結片）同士の吸着（反発）を効率よく行うことができる。【００１６】（請求項４記載の発明の特徴）
請求項４記載の発明に係る磁石連結具（以下、適宜「請求項４の連結具」という）は、請求項１ないし３いずれかの連結具であって、スライド方向に沿って接合面に対する高さ寸法が異なるように構成してある部分を前記接合面側に形成してある。【００１７】  請求項４の連結具によれば、請求項１ないし３いずれかの連結具の作用効果に加え、スライド方向に沿って接合面に対する高さ寸法が異なるように構成してある部分を接合面側に形成しているため、押圧された際に当該連結片本体同士を互いに離れる方向にスライド案内する。これにより、一方の連結片本体に対する他方の連結片本体の連結解除をより行いやすくすることができる。すなわち、磁力は離れれば離れるだけ弱まるので、スライド状態にありながらも一方の連結片と他方の連結片との間の距離（両者間に形成される空間体積）の増加により小さな力でも連結解除を行えるようになる。【００２０】（請求項５記載の発明の特徴）
請求項５記載の発明に係る磁石連結具（以下、適宜「請求項５の連結具」という）は、請求項１ないし４いずれかの連結具であって、前記開放端各々は、前記連結片本体各々から突出する突片からなる延長開放端により構成されている。【００２１】  請求項５の連結具によれば、請求項１ないし４いずれかの連結具の作用効果に加え、延長開放端の突出分だけ他方の閉鎖端よりも突出し、延長開放端を介して加えられる押圧力は連結片本体同士を互いに近づける方向、すなわち、反対方向であるから片手で連結解除することができる。【００２２】（請求項６記載の発明の特徴）
請求項６記載の発明に係る磁石連結具（以下、適宜「請求項６の連結具」という）は、請求項５の連結具であって、前記一方の突片と他方の突片は、両者を通過する仮想直線の方向がスライド方向を横切るように配してある。【００２３】  請求項６の連結具によれば、請求項５の連結具の作用効果に加え、仮想直線の方向がスライド方向を横切るため一方の突片と他方の突片を互いに近づけようとすると、それらに掛けた指はスライド方向とは異なる方向に動かすことになる。スライド方向と同じ方向に指を動かすと連結片同士のスライドが生じ、連結具の大きさや形状にもよるがスライドした連結片が指とぶつかってしまい解除作業を邪魔する場合が考えられる。そこでスライド方向とは異なる方向に指を動かすことにより、連結片が指に簡単にぶつからないようにし解除作業を容易なものとする。【００２５】請求項１ないし６いずれかの連結具の作用効果はネックレスに対して好適に作用する。長さにもよるがネックレスの連結とその解除は使用者の目の届きにくいところ（たとえば、顎のすぐ下や首の後ろ）で行われることが多いので、片手だけで連結解除できるメリットが大きい。もっとも本発明の適用はネックレスだけに限定されず、ネックレス以外のもの、たとえば、ブレスレットや腰ベルト等なども紐体に含まれることはいうまでもない。
【発明の効果】
【００２６】
吸着している両連結片の一方から他方を離脱させるために一方に対する他方のスライドを片手の指だけで行えるように、そのようなスライドを許すも引っ張り方向の容易離脱を防ぐことができる。
【図面の簡単な説明】
【００２７】
【図１】本実施形態に係る磁石連結具をベルトに適用した斜視図である。
【図２】図１に示す連結具の分解斜視図である。
【図３】図１に示す連結具の平面図である。
【図４】図１に示す連結具を構成する一方の連結片の平面図である。
【図５】図３に示す連結具のＡ−Ａ断面図である。
【図６】図３に示す連結具のＢ−Ｂ断面図である。
【図７】図４に示す連結片を矢印Ｚ方向から見た図である。
【図８】磁石片の極性について説明する概略正面図である。
【図９】本実施形態の第１変形例である連結具の平面図である。
【図１０】図９に示す連結具を矢印Ｙ方向から見た図である。
【図１１】（ａ）は図９に示す連結具を構成する一方の連結片の平面図であり、（ｂ）は（ａ）の側面図である。
【図１２】（ａ）は図９に示す連結具を構成する他方の連結片を裏返したときの平面図であり、（ｂ）は（ａ）の側面図である。
【図１３】図９に示す連結具のＣ−Ｃ断面図である。
【図１４】本実施形態の第２変形例である連結具をネックレスに適用した斜視図である。
【図１５】図１４に示す連結具の正面図である。
【図１６】（ａ）は図１４に示す連結具の平面図であり、（ｂ）は（ａ）を矢印Ｘ方向から見た図である。
【図１７】（ａ）は図１４に示す連結具を構成する一方の連結片の平面図であり、（ｂ）は（ａ）を矢印Ｗ方向から見た図である。
【図１８】図１６に示す連結具のＤ−Ｄ断面図である。
【図１９】（ａ）から（ｅ）は図１５に示す連結具のスライド突片およびスライド溝の個数や形状を変更した例を示す正面図である。
【図２０】本実施形態の第３変形例である連結具の正面図である。
【図２１】（ａ）及び（ｂ）は図２０に示す連結具の分解斜視図である。
【図２２】図２０に示す連結具を構成する一方の連結片の平面図である。
【図２３】図２２に示す連結片のＥ−Ｅ断面図である。
【図２４】本実施形態の第４変形例である連結具の平面図である。
【図２５】図２４に示す連結具のＦ−Ｆ断面図である。
【図２６】（ａ）及び（ｂ）は本実施形態の第５変形例である連結具の分解斜視図である。
【図２７】図２６に示す連結具を接合させたときのＧ−Ｇ断面図である。
【図２８】（ａ）及び（ｂ）は本実施形態の第６変形例である連結具の分解斜視図である。
【図２９】図２８に示す連結具を接合させたときのＨ−Ｈ断面図である。
【図３０】本実施形態の第７変形例である連結具をネックレスに適用した斜視図である。
【図３１】図３０に示す連結具を構成する一方の連結片の斜視図である。
【図３２】図３０に示す連結具を構成する一方の連結片の平面図である。
【図３３】（ａ）は図３０に示す連結具の分解正面図であり、（ｂ）は（ａ）を矢印Ｖ方向から見た分解側面図である。
【図３４】本実施形態の第８変形例である連結具をネックレスに適用した斜視図である。
【図３５】（ａ）は図３４に示す連結具の分解正面図であり、（ｂ）は（ａ）を矢印Ｕ方向から見た分解側面図である。
【図３６】本実施形態の第９変形例に係る連結具を構成する一方の連結片の平面図である（連結片本体の上側一方を省略）。
【図３７】図３６に示す連結片に他方の連結片を接合させて構成した連結具のＩ−Ｉ断面図である。
【図３８】図３７に示す連結具の分解斜視図である。
【図３９】本実施形態の第１０変形例である連結具の斜視図である。
【図４０】（ａ）は図３９に示す連結具を構成する一方の連結片（他方の連結片を省略）の平面図であり、（ｂ）は同側面図である（他方の連結片を２点鎖線で表示）であり、（ｃ）は同正面図である。
【図４１】図３９に示す連結具の平面図である。
【図４２】本実施形態の第１１変形例に係る連結具を構成する一方の連結片の平面図である（上側となる他方の連結片を省略、磁石は塗装膜に隠れている）。
【図４３】図４２に示す一方の連結片に他方の連結片を接合させて構成した連結具のＪ−Ｊ断面図である。
【図４４】図４３に示す連結具の分解斜視図である。
【図４５】本実施形態の第１２変形例に係る一方の連結片の平面図である。
【図４６】図４５に示す一方の連結片の斜視図である。
【図４７】図４５に示す一方の連結片に他方の連結片（２点鎖線で示す）を接合させて構成した連結具のＫ−Ｋ断面図である。
【図４８】図４５に示す一方の連結片のＬ−Ｌ断面図である。
【図４９】本実施形態の第１３変形例に係る連結具（他方の連結片は２点鎖線で示す）の斜視図である。
【図５０】図４９に示す一方の連結片の平面図である。
【図５１】図５０に示す一方の連結片に他方の連結片を接合させたときのＭ−Ｍ断面図である。
【図５２】本実施形態の第１４変形例に係る連結具の分解斜視図である。
【図５３】図５２（ａ）に示す連結片を裏返したときの平面図である。
【図５４】図５３に示す一方の連結片に他方の連結片を接合させて構成した連結具のＮ−Ｎ断面図である。
【図５５】図５２に示す連結具の正面図である。
【図５６】本実施形態の第１５変形例に係る連結具の正面図である。
【図５７】図５６に示す連結具を構成する一方の連結片の平面図である。
【図５８】図５７に示す一方の連結片の斜視図である。
【図５９】図５７に示す一方の連結片に他方の連結片を接合させて構成した連結具のＯ−Ｏ断面図である。
【図６０】本実施形態の第１６変形例に係る連結具の分解斜視図である。
【図６１】図６０に示す連結具を構成する一方の連結片の平面図である。
【図６２】図６１に示す一方の連結片に他方の連結片を接合させて構成した連結具のＰ−Ｐ断面図である。
【図６３】本実施形態の第１７変形例に係る連結具の分解斜視図である。
【図６４】（ａ）（ｂ）は図６３に示す連結具の分解斜視図である。
【図６５】図６３に示す連結具をさらに変形した連結具を示す斜視図である。
【図６６】本実施形態の第１８変形例に係る連結具の分解斜視図である。
【図６７】（ａ）（ｂ）は図６６に示す連結具の分解斜視図である。
【図６８】図６６に示す連結具をさらに変形した連結具の正面図である。
【図６９】図６６に示す連結具をさらに変形した連結具の正面図である。
【図７０】従来の連結具の側面図である（実開昭６０−７９３１３号公報（第１図（ａ））。
【発明を実施するための形態】
【００２８】  各図を参照しながら、本発明を実施するための形態（以下、「本実施形態」という）について説明する。本実施形態に係る磁石連結具（以下、単に『連結具』という）は、図１に示すようにベルトに適用した。
【００２９】
（連結具の概略構造）
図１ないし３に示すように、連結具１は紐体（本実施形態ではベルト）３の両端を連結・連結解除するためのものである。連結具１は、一対の連結片１１，１１´をその主要構成部材とする。連結片１１と連結片１１´は、それらが備える取付片２３，２３´が横に並ぶように配置して両者間に対象軸を置いたとしたときに、その対象軸に関して線対称の関係にある。つまり、横に並べた連結片１１と連結片１１´とは磁石片３１と磁石片３１´の極性が異なる（吸着する）点を除けば形状の左右が異なるだけである。よって、以下の記載は、特に断らない限り原則として連結片１１について説明するが、その説明は連結片１１´についても当てはまる。連結片１１，１１´が備える部材・部分についても同じとする。磁石片３１，３１´の極性については後で再び述べる。
【００３０】
（連結片の構造）
図２から４に示すように連結片１１は、平面視おおむね矩形の連結片本体１３と、連結片本体１３の一方の側に形成された接合面１５と、連結片本体１３の一方の短辺に形成された支持片２２と、支持片２２に設けられた取付片２３と、スライド案内構造４１を備えている。接合面１５と反対側の連結片本体１３の表面１６はなだらかな山形に膨らんでいる。接合面１５は、表面１６に対して傾斜していて、接合面１５と表面１６と、これらに挟まれる開放端１９によって、側面視ほぼ三角形が形成される。したがって、連結片１１と連結片１１´を連結させると、三角形同士が重なり、平面視ほぼ矩形ができあがる。なお、接合面１５と表面１６が交わる端を閉鎖端２１と呼ぶ。閉鎖端２１と開放端１９は、接合面１５を挟んで対向関係にある。
【００３１】
接合面１５はほぼ平面に形成してあり、これと接合する接合面１５´に対して互いにスライド（摺動）可能になっている。接合面１５には、長さ方向に並べた複数（ここでは２個、少なくとも１個でよい）の埋設孔２５を形成してある。各埋設孔２５は対向する２か所が直線のほぼ円形に形成してあり、その周縁の２か所には固定爪２７，２７を形成してある。埋設孔２５は、磁石片３１及びヨーク３３を埋め込み、接着剤で接着するための孔であって、上記した形状に形成したのは連結片１１に対して磁石片３１が接合面１５と平行な方向に回転しないようにするためである。固定爪２７，２７は、埋設孔２５の周壁から下端だけを残して柱状に切り出し形成したものであって、内側に折り曲げることによって磁石片３１を埋設孔２５の中で連結片１１に挟み固定して回転阻止する役目も担っている。つまり、埋設孔２５の形状と固定爪２７とにより、磁石片３１を固定し、回転を阻止するようになっている。なお、埋め込んだ磁石片３１，３１´は、ほぼ円形のものであって、磁石片３１と磁石片３１´が吸着することによって接合面１５（連結片１１）と接合面１５（連結片１１´）とを吸着接合することのできる極性と磁力を備えるものであることが必要である。さらにそれらの埋め込みが、接合面１５と接合面１５´とのスライドを妨げるものでないこと、も併せて必要である。なお、上記したヨーク３３は、磁石片３１からの磁束漏れを抑制するために使用する。
【００３２】
（磁石片の極性）
図８に基づき磁石片の極性について説明する。磁石片３１と磁石片３１´の一方と他方の極性は、両者を互いに吸着させるために対向吸着面に表れる極性を互いに違えてある。現れる極性をＮ極またはＳ極のいずれか一方として、対向吸着面に表れる極性を上記と逆に設定するのが一番シンプルな方法である。一方、本実施形態では、同極反発を利用して連結解除をより容易にできるようにしてある。すなわち、磁石片３１は、一対（両面多極磁石のように二対以上でもよい）のスライド方向（図８の左右方向）に並ぶＮ極とＳ極をその吸着面に備え、磁石片３１´のＮ極とＳ極の位置は上記磁石片３１のそれらと逆にしてある。これにより、図８（ａ）に示す吸着連結状態にあるときに矢印で示す解除押圧すると磁石片３１はスライド方向にスライド（相対移動）する。すると、吸着連結状態のとき異極であった極性がスライドにより図８（ｂ）に示すように、同極となり反発力が生じる。反発力は連結片１１と連結片１１´とを離れる方向に移動させ、その結果、両者間の連結が解除される。反発力利用が、連結解除を極めて容易にする。
【００３３】
取付片２３は、矩形である連結片１１の一方の短辺に支持片２２とともに一体形成（別部材を固定してもよい）したアルファベットの「Ｏ」を扁平にした扁平Ｏ型に形成してある。取付片２３には、ベルト等の紐体３（図１参照）を固定する部位である。扁平Ｏ型を採用したのは、そこに扁平のベルトを通して折り返し固定するのに都合よいからである。紐体はその機能を満たすものであれば、上記した形状に限定する必要はなく、リング状である必要もない。また、たとえば、金属製の紐体を、溶接のような固定手段（図示は省略）によって取付片２３（支持片２２）に固定した場合は、この固定手段が取付片２３に該当する。連結片１１と連結片１１´を連結したときの取付片２３と取付片２３´は、平面視したとき連結片本体１３，１３´を挟んで対向することになる（図３参照）。スライド案内構造４１は、次項で説明する。なお、図２および４に示す符号２９は、支持片２２´（図３参照）を受け入れるための受入凹部を示す。支持片２２を受け入れるための受入凹部２９´は図５に示されている。
【００３４】
（スライド案内構造の構造）
図２から４に示すようにスライド案内構造４１は、押圧された際に、連結片１１各々の接合面１５側に形成された一方に対し他方を所定方向にスライド案内するとともに連結片１１各々が紐体引っ張り方向に相対移動するのを阻止する機能を有している。その機能を実現するための具体的構造は、次のとおりである。すなわち、取付片２３のある側と反対側の接合面１５端部には、スライド突片４３を接合面１５から突出して設けてある（図４参照）。スライド突片４３は接合面１５から突出する突出壁４３ａを含み、連結片１１の短辺とほぼ平行であって、接合面１５の短辺のほぼ全域に延びる（延びる方向を「スライド方向」という）細長形状に形成してある。なお、スライド突片４３の上端面４３ｔは接合面１５に対して傾斜している。
【００３５】
スライド案内構造４１の一部でありスライド突片４３と対をなすのがスライド溝４５である。スライド溝４５は接合面１５から後退する後退壁４５ｃを含み、接合面１５の取付片２３側の短辺に沿った方向、すなわち、スライド方向に延びる細長い溝である。スライド溝４５はスライド突片４３´を、スライド溝４５´はスライド突片４３を、それぞれスライド方向にスライド可能に受け入れることのできる形状に形成してある。このように構成した一方の突出壁４３ａと他方の後退壁４５´ｃとが、他方の突出壁４３´ａと一方の後退壁４５ｃとが、それぞれスライド方向にスライド接触するとともに紐体引っ張り方向の相対移動を阻止するようになっている。
【００３６】
一方、スライド溝４５の溝底４５ａ（図４参照）は、接合面１５に対し、連結片１１´のスライド突片４３´とほぼ同じ角度で反対方向に傾斜している。連結時の上端面４３ｔ（上端面４３´ｔ）と溝底４５ａ（溝底４５´ａ）は連結片１１と連結片１１´の連結を妨げない対向関係にある。一方、押圧を受けてスライドしようとする連結片１１と連結片１１´とは、連結時の上端面４３ｔ（上端面４３´ｔ）と溝底４５ａ（溝底４５´ａ）のスライド（摺動）作用によりスライド案内される連結片１１と連結片１１´とを互いに離れる方向にも案内する。すなわち、スライド案内構造４１は、一方に対する他方、たとえば、連結片１１に対する連結片１１´を、接合面１５と平行な方向と接合面１５から離れる方向に同時（両方向を合成した方向）に案内するようになっている。
【００３７】
接合面１５と平行な方向のスライドは、吸着している磁石片３１と磁石片３１´の吸着面を横スライドさせることによって磁力作用を及ばないようにし、これによって、接合解除もしくは解除補助する。一方、磁石片３１と磁石片３１´とを離れスライドさせると、両者間に作用する磁力は距離の二乗に反比例して減衰するから、磁力を一気に弱めることができる。したがって、上述した横スライドのように磁石片同士の対向面積の減少に比例して磁力を弱まらせようとするものに比べ、連結解除の効率がきわめてよい。したがって、簡単に解除もしくは解除補助を行うことができる。横スライドと離れスライドを同時に行わせることによって、解除もしくは解除補助が飛躍的に簡単になる。
【００３８】
（引っ張り方向の移動阻止）
スライド案内構造４１は、上述した機能の他に、連結片１１，１１´各々が紐体３の引っ張り方向（矢印Ｐ１方向、図１参照）に相対移動するのを阻止する機能を兼ね備えている。つまり、引っ張り方向はスライド方向を横切る方向と一致するから（図１参照）、スライド溝４５にスライド突片４３が受け入れられている状態では、引っ張り方向の相対移動が阻止される。この阻止機能により、連結片１１，１１´同士が安易に外れてしまう心配がなくなる。
【００３９】
（押圧のための構造）
図３ないし５に示すように、連結片１１と連結片１１´各々は、互いに吸着接合した状態にあって一方の連結片１１の開放端１９が他方の連結片１１´の閉鎖端２１´から、他方の連結片１１´の開放端１９´が一方の連結片１１の閉鎖端２１から、それぞれスライド方向（図３の左右方向）に沿って突出している。つまり、図３において開放端１９は閉鎖端２１´よりも右に突出しているが、同図に破線で示す閉鎖端２１は開放端１９´の下に隠れて見えない。つまり、開放端１９´は閉鎖端２１よりもスライド方向に突出している。
【００４０】
上述した開放端１９および開放端１９´の突出は、使用者の指がそれらのみに掛かり、閉鎖端２１および閉鎖端２１´には掛からないことを意味する。図６において２点鎖線で示す親指１００と人差し指１０２が、その状態を示している。ここで、親指と人差し指の間を縮める方向、すなわち、開放端１９と開放端１９´とを互いに近づける方向（矢印Ｐ２方向）に押圧したときの連結片１１に対する連結片１１´の相対移動の方向は接合面１５，１５´と平行方向（矢印Ｐ３方向）と、接合面１５´が接合面１５から離れる方向（矢印Ｐ４方向）となる。この相対移動は、前述したスライド案内構造４１の働きによる。
【００４１】
（本実施形態の第１変形例）
図９ないし１３に基づいて本実施形態の第１変形例の説明を行う。第１変形例に係る連結具５１は、先に説明した連結具１と基本的に同じ原理で連結解除ないし連結解除の補助が行われる。ここでは連結具１と異なる部材について説明するとともに、共通する部材については連結具１で使用した部材名と同じ部材名を連結具５１に使用するに止め可能な範囲でそれらの説明を省略する（以下の変形例で同じ）。
【００４２】
すなわち、連結具５１に係る連結片５２は連結片本体５３と取付片５４を備え、連結片本体５３は接合面５５を備えている（図１１参照）。接合面５５に設けられた埋設孔６３には磁石片６５が埋め込まれている。スライド案内構造６６を構成するスライド突片６７は卵を四つ切りにしたような半ドーム型に形成してあり、その切り口に当たり接合面５５から突出する面が突出壁６７ａとなる。同じくスライド溝６８も半ドーム型に掘削形成してあり、突出壁６７ａに対応して接合面５５から後退する面が後退壁６８ａとなる。半ドーム型に形成したのは、嵌合とその取り外しが簡単であること、スライド方向（図１１の上下方向）に沿って接合面５５に対する高さ寸法が異なる（図１１（ｂ）参照）ことからスライドに伴い接合面５５，５５´同士を離れさせることのできること、がその理由である。つまり、スライド突片６７がスライド溝６８´に完全に嵌合しているときは接合面５５，５５´同士は接合しているが、スライドすることによりスライド溝６８´の最深底部と接触していたスライド突片６７の頂部がスライド溝６８´の最深部から浅瀬に移動するのでその深さの違い分だけスライド突片６７が浮き上がる。この結果、接合面５５，５５´同士が離れる方向に移動する。スライド突片６７のスライド溝６８´への嵌合によって、引っ張り方向の力に打ち勝って接合関係を保持する点は、連結具１のスライド案内構造４１と同じである。
【００４３】
図９ないし１２に示す符号５９，５９´は、連結具１の開放端１９，１９´に該当する延長開放端を示す。すなわち、延長開放端５９は、連結片本体５３の開放端を延長突出させたものであり、その目的は、使用者の指がそれらのみに掛かり、連結片本体５３，５３´には掛からないようにする点にある。なお、符号６１は閉鎖端を示す。
【００４４】
延長開放端５９の形状は、たとえば、連結片本体５３から突出する突片から構成するとよい。図１０に示すように、一方の突片（連結片本体５３）と他方の突片（連結片本体５３´）は、両者を通過する仮想直線Ｌ１の方向が矢印で示すスライド方向を横切るように配することが好ましい。仮想直線Ｌ１の方向がスライド方向を横切るため（一致していないため）一方の突片（連結片本体５３）と他方の突片（連結片本体５３´）を互いに近づけようとすると、それらに掛けた親指１００と人差し指１０２はスライド方向とは異なる方向に動かすことになる。スライド方向とは異なる方向に指を動かせば指同士がぶつからずに済むので解除作業が容易になる。連結片本体５３，５３´は、それぞれを指で摘んで両者を引き離すことにより連結解除することのために用いてもよい。
【００４５】
（本実施形態の第２変形例）
図１４ないし１８を参照しながら、本実施形態の第２変形例について説明する。第２変形例に係る連結具５１Ａは、基本的に連結具５１の構造と同じ構造を備え、異なる点は、両者間のスライド案内構造にある。したがって、ここでは両者間に共通する部材については同じ符号を示しそれらの説明を省略する。以下、スライド案内構造について説明する。
【００４６】
連結具５１Ａのスライド案内構造６６Ａは、スライド突片６７Ａ（スライド突片６７Ａ´）とスライド溝６８Ａ´（スライド溝６８Ａ）から構成されている。スライド突片６７Ａは引っ張り方向一端から中に向かって上り傾斜し頂点から垂直降下する断面三角形状に形成してあり（図１８参照）、したがって、これを受け入れるスライド溝６８Ａ´も断面三角形状に形成してある。スライド突片６７Ａ（スライド突片６７Ａ´）が有する突出壁６７Ａａ（突出壁６７Ａ´ａ）とスライド溝６８Ａ´（スライド溝６８Ａ）が有する後退壁６８Ａ´ａ（後退壁６８Ａａ）がスライド可能に接触することにより、引っ張り方向（図１８の左右方向）の力に逆らい、図１８の紙面垂直方向にスライド可能になっている。なお、上記したスライド突片６７Ａ（スライド突片６７Ａ´）とスライド溝６８Ａ´（スライド溝６８Ａ）は２か所としたが、これを１か所としたり３か所以上としたりすることもできる。
【００４７】
さらに、たとえば図１９に符号９１ａ〜９１ｅで示すように、個数や形状を自由に変更することも可能である。すなわち、図１９（ａ）のスライド案内構造９１ａは稲妻形状の段部が１段であり、同（ｂ）のスライド案内構造９１ｂは２段、さらに同（ｃ）のスライド案内構造９１ｃは３段の段部が形成されている。同（ｄ）のスライド案内構造９１ｄは、２段の矩形段部、同（ｅ）のスライド案内構造９１ｅは１段の矩形段部が形成されている。詳細は省略するが、段部の形状や個数等に合わせて磁石片の形状、大きさ、個数、さらに極性等を設定すべきことはいうまでもない。
【００４８】
（本実施形態の第３変形例）
図２０ないし２３を参照しながら、本実施形態の第３変形例について説明する。第３変形例に係る連結具５１Ｂは、基本的に連結具５１Ａの構造と同じ構造を備え、異なる点は、両者間のスライド案内構造と磁石の固定構造にある。したがって、ここでは両者間に共通する部材については同じ符号を示しそれらの説明を省略する。以下、スライド案内構造と固定構造について説明する。
【００４９】
スライド案内構造６６Ｂを構成するスライド突片６７Ｂとスライド溝６８Ｂには、その平面視卵型の凹部６７Ｂｐ，６８Ｂｐを形成してある。図２１が示すように凹部６７Ｂｐ，６８Ｂｐは、両者ともに上方に開放しており、埋設孔６７Ｂｈに側方連通している。凹部６７Ｂｐ、凹部６８Ｂｐと埋設孔６７Ｂｈの間には、２個の固定爪６７Ｂｋ，６８Ｂｋが起立している。凹部６７Ｂｐ，６８Ｂｐは、やっとこのような工具Ｔの先を差し入れ、差し入れた先を互いに近づけることにより固定爪６７Ｂｋ，６８Ｂｋを内側に曲げ変形させ、これによって埋設孔６３Ｂの中に磁石６５Ｂを固定可能とするための凹部である（図２３参照）。軽量化を図るという意味もある。両固定爪６７Ｂｋ，６８Ｂｋはそれらの頂上面が接合面５５Ｂの一部を構成する。なお、符号６７Ｂａ（６７Ｂ´ａ）はスライド突片６７Ｂ（スライド突片６７Ｂ´）が備える突出壁を、符号６８Ｂａ（６８Ｂ´ａ）はスライド溝６８Ｂ（スライド溝６８Ｂ´）を囲む後退壁を、それぞれ示す。
【００５０】
（本実施形態の第４変形例）
図２４および２５を参照しながら、本実施形態の第４変形例について説明する。第２変形例に係る連結具７１は、連結具１のスライド案内構造４１を基本とし、これに連結具５１のスライド突片とスライド溝を採用したものである。すなわち、連結具７１の連結片７３（連結片本体７４）は連結片７３の外周に対して傾斜する接合面７７を備え、この点は連結具１のそれと共通する。連結片本体７４の開放端一方、スライド案内構造７９は、スライド案内構造６６と同様に半ドーム型のスライド突片８０とスライド溝８１によって構成してある。連結片７３（連結片本体７４）の開放端７５は、連結片７３´（連結片本体７４´）の閉鎖端７６´よりもスライド方向に突出している。同様に、開放端７５´は閉鎖端７６よりも突出している。符号７８は、磁石片を示す。なお、符号８０ａ（８０´ａ）はスライド突片８０（スライド突片８０´）が備える突出壁を、符号８１ａ（８１´ａ）はスライド溝８１（スライド溝８１´）を囲む後退壁を、それぞれ示す。
【００５１】
（本実施形態の第５変形例）
図２６および２７に基づいて本実施形態の第５変形例を説明する。第５変形例に係る連結具１Ａが、本実施形態に係るそれと異なるのは、スライド案内構造の形状のみであるから、その点だけ説明する。本実施形態に係る連結具１のスライド突片４３の上端面４３ｔは接合面１５に対して傾斜している（図２参照）。これは、スライド溝４５の溝底４５ａとの接触によりスライド案内される連結片１１と連結片１１´とを互いに離れる方向に案内するためである。この点は、前述した。
【００５２】
これに対し第５変形例に係るスライド突片４３Ａの上端面４３Ａｔは、図２６に示すように接合面１５Ａとほぼ平行に形成してある。図２６では隠れて見えないが、スライド溝底４５Ａ´ａも同様である。平行であるため、スライド突片４３Ａとスライド溝４５Ａ´は、連結片１１Ａと連結片１１Ａ´はスライドしても互いを離す方向に案内しない。もっとも、引っ張り方向に両者が相対移動することを阻止する機能は有している。なお、符号４３Ａａ（４３Ａ´ａ）はスライド突片４３Ａ（スライド突片４３Ａ´）が備える突出壁を、符号４５Ａｃ（４５Ａ´ｃ）はスライド溝４５Ａ（スライド溝４５Ａ´）を囲む後退壁を、それぞれ示す。
【００５３】
離す方向の案内機能を担うのが、接合面１５Ａの長さ方向ほぼ中央に突出させた乗り上げ突片４４Ａと、これに対応する逃げ凹部４６Ａ´である。スライドするときは、接合面１５Ａ´が乗り上げ突片４４Ａの上に乗り上がることにより連結片１１Ａと連結片１１Ａ´が離れる方向に案内される。なお、逃げ凹部４６Ａは、接合時に乗り上げ突片４４Ａ´（図２７参照）を逃がすための凹部である。
【００５４】
（本実施形態の第６変形例）
図２８および２９に基づいて本実施形態の第６変形例を説明する。第６変形例に係る連結具１Ｂが、第５変形例に係る連結具１Ａとほぼ同じ構造を備え、異なるのは乗り上げ突片と逃げ凹部の形状のみである。すなわち、第６変形例に係る乗り上げ突片４４Ｂと逃げ凹部４６Ｂが接合面１５Ｂの長さ方向（スライド方向を横切る方向）全長に延びている点が、先の連結具１Ａと異なる点である。作用効果について異なる点はない。
【００５５】
（本実施形態の第７変形例）
図３０ないし３３に基づいて本実施形態の第７変形例を説明する。第７変形例に係る連結具８３は、連結時にほぼ長方体形状に形成され、連結片８４と、連結片８４と対称に構成された連結片８４´とから構成されている。以下、主として連結片８４について説明する。
【００５６】
連結片８４は、図３２に示すように、平面視したときにほぼ矩形に形成してある連結片本体８５と、連結片本体８５の短辺一方から側方に突出すリング状の取付片８６を、を有している。図３１に示す連結片本体８５の上面には複数段（ここでは３段）に等分された接合面８７ａ，８７ｂ，８７ｃ（全体を接合面８７とする）を備えている。接合面８７ａと接合面８７ｂとの間にほぼ垂直に起立する段部８８ａが介在することにより、接合面８７ｂと接合面８７ｃとの間にほぼ垂直に起立する段部８８ｂが介在することにより、接合面８７が３段の段違いに形成されている。この段違いは、図示した以外の組み合わせの採用を妨げるものではない。なお、各接合面を入り口とする埋設孔８７ｈａ，８７ｈｂおよび８７ｈｃには、連結片８４と連結片８４´を磁石連結するための磁石片（図示を省略）が埋設される。
【００５７】
段部８８ａと段部８８ｂ、すなわち、段部８８は、第７変形例に係るスライド案内構造の一部として機能する。すなわち、図３０に示すように連結片８４と連結片８４´を接合させた状態でスライド方向（段部８８ａ，８８ｂと平行方向）にスライドさせることができる一方、スライド方向を横切る方向（引っ張り方向）に連結片８４と連結片８４´を相対移動することが阻止される。符号８８ｐａ，８８ｐｂ，８８ｐｃは、第６変形例に係る乗り上げ突片４４Ｂ（図２８参照）と同じ機能を有する乗り上げ突片を示す。これと同様に符号８８ｑａ，８８ｑｂ，８８ｑｃは、逃げ凹部を示す。これら乗り上げ突片の各々と逃げ凹部各々も、上記した段部とともにスライド案内構造を構成する。なお、図３０に示す紐体３はネックレスであるが、これ以外の紐体に適用することを妨げない。さらに、連結具８３は直方体と形成したが、他の形状も採用できることは言うまでもない。連結具８３はコンパクトな外観であるため、複数の紐体を直列接続するような場合にも好適に用いることができる。
【００５８】
（本実施形態の第８変形例）
図３４および３５に基づいて本実施形態の第８変形例を説明する。第８変形例に係る連結具８３Ａは、先に述べた第７変形例と基本的に同じであり、違う点は乗り上げ突片と逃げ凹部の形状が異なる点である。このため、連結具８３Ａを構成する連結片８４Ａと８４Ａ´は互いに対称とはならないので、対称外である部分も併せて説明する。なお、第７変形例と同様に磁石の図示は省略する。
【００６１】
連結片８４Ａは、乗り上げ突片を持たず、その代わりに逃げ凹部８８Ａｐａを有している（図３５（ａ）および（ｂ）参照）。逃げ凹部８８Ａｑａに変更はない。一方、連結片８４Ａ´は逃げ凹部の代わりに乗り上げ突片８８Ａ´ｑｃを備えている。乗り上げ突片８８Ａ´ｐｃに変更はない。つまり、図３５（ｂ）に示すように、連結片８４Ａ´からは二つの乗り上げ突片が突出し、連結片８４Ａは二つの逃げ凹部有している。連結具８３Ａの作用効果は基本的に連結具８３のそれと同じである。
【００６２】
（本実施形態の第９変形例）
図３６〜３８に基づいて本実施形態の第９変形例を説明する。第９変形例に係る連結具１５１が、本実施形態に係るそれと異なるのは、主として連結片本体とスライド案内構造の形状のみであるから、その点だけ説明する。
【００６３】
第９変形例に係る連結具１５１は一対の連結片本体１５３，１５３´から構成してあり、両者は互いに対称な形状に形成してある。ここでは連結片本体１５３を中心に説明する。連結片本体１５３は平面視ほぼ円形に形成してあり（図３６参照）、その接合面１５５の中心に磁石片１５９を１個埋設してある一方、その一端には取付片１５７を設けてある。スライド案内構造１６１は、スライド突片１６３とスライド受入孔１６５とから構成してある。スライド突片１６３は接合面１５５から突出する突出壁１６３ａを、スライド受入孔１６５は接合面１５５から後退する後退壁１６５ａを、それぞれ備えている。スライド突片１６３の上端面１６３ｔは、図３８に示すように接合面１５５に対してスライド方向（引っ張り方向に対してほぼ垂直方向、図３８（ｂ）の矢印方向）に上り傾斜している。スライド受入孔１６５のスライド溝底１６５ｂも同様である。連結具１５１の作用効果については本実施形態に係る連結具１におけるそれと異ならない。
【００６４】
（本実施形態の第１０変形例）
図３９から４１に基づいて本実施形態の第１０変形例を説明する。第１０変形例に係る連結具２０１は、全体として長辺と短辺を有する細長矩形に形成してあり、互いに対称な連結片本体２０３と連結片本体２０３´に大別される。以下、連結片本体２０３について説明し、連結片本体２０３´については必要な場合だけ述べることにする。
【００６５】
平面視矩形の連結片本体２０３は、その長辺側の側面に長側面２０３ａ，２０３ａを、短辺側の側面に短側面２０３ｂ，２０３ｂを、さらに、その上面に接合面２０５を備えている。接合面２０５には埋設孔２０７，２０７を設けてあり、その中に磁石片２１１，２１１を埋設してある。一方の長側面２０３ａには、その長さ方向に沿って等間隔に複数（変形例９では５個）の取付片２０８，・・を取り付けてある。取付片２０８を複数としたのは、数だけのネックレスなどを連結するためであり、多数取り付けることによりゴージャスに見せたいという使用者の求めに応じるためである。接合面２０５の反対面は押圧面２０６になっている。図３９および４０（ｂ）に示すように押圧面２０６は、接合面２０５を基準にして一番低い面（平野面２０６ａ）と、平野面２０６ａを挟んで両端に位置する高原面２０６ｂ，２０６ｂと、平野面２０６ａと両方の高原面２０６ｂ，２０６ｂとを結ぶ傾斜面２０６ｃ，２０６ｃから構成してある。高低差をつけたのは、平野面２０６ａに当てた指を傾斜面２０６ｃにも同時に当たらせて滑りを止め、これによって、図３６に示すスライド方向への解除押圧を行ない易くするためである。
【００６６】
図４０および４１に示すように、スライド案内構造２１５は、スライド突片２１７とスライド溝２１９とにより構成してある。スライド突片２１７は長側面２０３ａ全長に沿って接合面２０５から突出する突出壁２１７ａを含む細長い突片である。長側面２０３ａ全長に渡り接合面２０５からの高さに変化はない。スライド突片２１７の頂面２１７ｔと接合面２０５とはほぼ平行である。スライド溝２１９は長側面２０３ａ全長に沿って接合面２０５から後退する後退壁２１９ａと溝底面２１９ｔとを含み、突出壁２１７ａを受け入れることにより、一方の突出壁２１７ａと他方の後退壁２１９´ａとが、他方の突出壁２１７´ａと一方の後退壁２１９ａとが、それぞれスライド方向にスライド接触するとともに紐体引っ張り方向の相対移動を阻止するようになっている。
【００６７】
（本実施形態の第１１変形例）
図４２〜４４に基づいて本実施形態の第１１変形例を説明する。第１１変形例は先に説明した第４変形例と基本的に同じ構造を備えている。そこで、本項では、第１１変形例と第４変形例との間で異なる点を中心に説明し、共通点については必要な範囲で説明する。
【００６８】
第１１変形例に係る連結具２２１は、一方の連結片本体２２３と他方の連結片本体２２３´を備えている。連結片本体２２３は平面視したとき正方形に近い矩形に形成してあり、その一辺には取付片２２９を設けてある。接合面２２４には埋設された磁石片２２４ｍの吸着面を臨ませてある。磁石片２２４ｍを挟んで取付片２２９の反対側の接合面２２４からは、スライド案内構造２２５の一部を構成する１個のスライド突片２２７が突出している。スライド突片２２７は連結片本体２２３の一辺全長に沿って延び、図４４から明らかなように中央が最頂点アーチ型になっている。両側面は、突出壁２２７ａとなる。第４変形例に係るスライド突片８０は２個あったが、第１０変形例に係るスライド突片２２７は１個である。この点に両者の違いがある。
【００６９】
図４４に示すように他方の連結片本体２２３´は、連結片本体２２３と基本構造は同じであるが、連結片本体２２３が有するスライド突片２２７の代わりにスライド溝２２８を有している。スライド突片２２７とともにスライド案内構造２２５を構成するスライド溝２２８は後退壁２２８ａを有するとともに、スライド突片２２７を受け入れることによりスライド方向にスライド接触するとともに紐体引っ張り方向の相対移動を阻止するようになっている。
【００７０】
なお、図４３に示すように、磁石片２２４ｍと磁石片２２４´ｍの吸着面同士は密着しておらずその間には塗膜層２２４ｐ，２２４´ｐが介在している。塗膜層２２４ｐ，２２４´ｐは、それぞれ磁石片２２４ｍと２２４´ｍを被覆保護するものであり、露出による磁石劣化を防ぐとともに吸着させるときの衝突衝撃を和らげる緩衝材としての機能を兼ね備えている。このような目的を持つ塗装膜は、第１１変形例だけでなく本実施形態その他の変形例にも適用可能であることはいうまでもない。
【００７１】
（本実施形態の第１２変形例）
図４５〜４８に基づいて本実施形態の第１２変形例を説明する。これまで説明した本実施形態および各変形例と比べた第１２変形例（特に断らない限り以下の変形例も同じ）の最大の特徴は、スライドする所定方向が、紐体引っ張り方向に対して傾斜している点である。以下、その特徴を中心に説明をする。
【００７２】
第１２変形例に係る連結具２３１は、図４７に示すように一方の連結片本体２３３と他方の連結片本体２３３´を備えている。連結片本体２３３は平面視したとき卵形に近い楕円形に形成してあり、その長辺上に取付片２３７を設けてある。接合面２３５には埋設された磁石片２３９の吸着面を臨ませてある。接合面２３５の磁石片２３９を長辺方向に挟んだ一方側には傾斜突片２４１を、他方側には傾斜受入孔２４３を、それぞれ形成してある。傾斜受入孔２４３は傾斜突片２４１をスライドイン（滑り入れる）とスライドアウト（滑り出させる）できるように上面開口の孔であり、両者は第１２変形例におけるスライド案内構造２４０を構成する。
【００７３】
図４５〜４７に示すように、傾斜突片２４１は、磁石片２３９に向かって登り傾斜する傾斜面２４１ａと、傾斜面２４１ａの頂点に位置する頂面２４１ｂと、頂面２４１ｂから僅かに戻り傾斜する裏傾斜面２４１ｃと、傾斜面２４１ａと裏傾斜面２４１ｃを両側から挟む側面２４１ｄ，２４１ｄと、から構成してある。この構成による傾斜突片２４１を側面視すると、図４７から明らかなように、鉤状になっている。紐体引っ張り方向を基準にした傾斜面２４１ａの傾斜方向は、接合面２３５から離れる方向でありスライド方向（ここでは図４７で時計の１１時方向）とほぼ平行となる。傾斜突片２４１の形状は鉤状である必要は必ずしもないが、鉤状にすることによって連結片本体２３３と連結片本体２３３´とを引き離す方向に働く力に対して抗力がより効果的に働く。この点は後で改めて述べる。
【００７４】
一方、傾斜受入孔２４３は、対となっている傾斜突片２４１´をスライドインさせたときに傾斜面２４１´ａに対応する孔傾斜面２４３ａと、同じく頂面２４１´ｂと対応する溝底面２４３ｂと、同じく裏傾斜面２４１´ｃに対応する折り返し傾斜面２４３ｃと、同じく側面２４１´ｄ，２４１´ｄに対応する孔側面２４３ｄ，２４３ｄによって周囲を囲んである。スライドインとスライドアウトは、一方の傾斜面２４１ａと他方の孔傾斜面２４３´ａおよび他方の傾斜面２４１´と一方の孔傾斜面２４３ａとが一方に対して他方が摺動することによって円滑に行なわれる。特に押圧解除の力が加えられてスライドアウトするときに一方の接合面に対して他方の接合面が離れる方向（図４５の矢印Ｐ５方向）にスライド移動する。このスライド移動は紐体引っ張り方向に対して斜め方向に行なわれる（図４７参照）。斜めにすることにより、取付片２３７につながっている紐体が、たとえば、ネックレスである場合に、そのネックレスの珠にスライド移動した連結片本体をぶつかり辛くすることができる。
【００７５】
スライド案内構造２４０における裏傾斜面２４１ｃ（２４１´ｃ）と折り返し傾斜面２４３´ｃ（２４３ｃ）との掛かり合いにより、紐体引っ張り力（図４５の矢印Ｐ６方向）が加わったときに生じがちなズレを阻止して簡単に外れない。さらに、側面２４１ｄと孔側面２４３´ｄ、側面２４１´ｄと孔側面２４３ｄとの当接は、連結片本体２３３と連結片本体２３３´のスライド方向以外の方向へのスライドを阻止する。なお、符号２３３ｐ，２３３´ｐは、押圧解除する際に指当てとなる凹部を示す。符号２３３ｈは、接合面２３５から掘り下げて形成した軽量化のための軽量化凹部を示す。
【００７６】（本実施形態の第１３変形例）
図４９〜５１に基づいて本実施形態の第１３変形例を説明する。第１３変形例は、先に説明した第１２変形例と基本的に同じ考え方に基づいており、紐体引っ張り方向に対して傾斜方向にスライド可能な点も同じである。両者異なるのはスライド方向である。両者異なる点を中心に説明する。
【００７７】
第１３変形例に係る連結具２５１は、図４９に示すように一方の連結片本体２５３と他方の連結片本体２５３´を備えている。接合面２５５には埋設された磁石片２５９の吸着面を臨ませてある。図４９〜５１に示すように、傾斜突片２６３は、紐体引っ張り方向に三次元的に傾斜した方向に延びており、磁石片２５９に向かって登り傾斜する傾斜面２６３ａと、傾斜面２６３ａの頂点に位置する頂面２６３ｂと、頂面２６３ｂから垂下する（接合面２５５から突出する）突出面２６３ｃと、傾斜面２６３ａと突出面２６３ｃを両側から挟む側面２６３ｄ，２６３ｄと、から構成してある。頂面２６３ｂは、突起先端の尖りを取るための面取り面である。
【００７８】
一方、傾斜受入孔２６５は、対となっている傾斜突片２６３´をスライドインさせたときに傾斜面２６３´ａに対応する孔傾斜面２６５ａと、同じく突出面２６３´ｃに対応する後退面２６５ｃと、同じく側面２６３´ｄ，２６３´ｄに対応する孔側面２６５ｄ，２６５ｄによって周囲を囲んである。頂面２６３´ｂと対応する溝底面は、第１３変形例ではその形成を省略した。スライドインとスライドアウトは、一方の傾斜面２６３ａと他方の孔傾斜面２６５´ａおよび他方の傾斜面２６３´ａと一方の孔傾斜面２６５ａとが一方に対して他方が摺動することによって円滑に行なわれる。このスライド移動は紐体引っ張り方向に対して斜め方向に行なわれるので、取付片２５７につながっている紐体が、たとえば、ネックレスである場合に、そのネックレスの珠にスライド移動した連結片本体をぶつかり辛くすることができる。
【００７９】
スライド案内構造２６１における突出面２６３ｃ（２６３´ｃ）と後退面２６５´ｃ（２６５ｃ）との掛かり合いにより、紐体引っ張り力が加わったときに生じがちなズレを阻止して簡単に外れない。さらに、側面２６３ｄと孔側面２６５´ｄ、側面２６３´ｄと孔側面２６５ｄとの当接は、連結片本体２５３と連結片本体２５３´のスライド方向以外の方向へのスライドを阻止する。
【００８０】
（本実施形態の第１４変形例）
図５２〜５５に基づいて本実施形態の第１４変形例を説明する。第１４変形例に係る連結具２７１の連結片２７２（２７２´）は、図５５に示すように、側面視したときに、握りきらない拳のように鉤状にした左右の掌を掛け合わせた形状に似ている。両者は対称であるから、主として連結片２７２について説明する。連結片２７２は、拳の甲の部分に該当する連結片本体２７３と、連結片本体２７３の指先部分に該当する第１スライド突片２８３と、手首と掌の間に位置する第２スライド突片２８７と、手首の位置に該当するスライドテール部２９１と、スライドテール部２９１の終端に設けた取付片２７７とを備えている。磁石片２７９は、掌の中に位置する格好となる。
【００８１】
第１スライド突片２８３は、側面視Ｊ字状になっている。（図５５参照）。すなわち、第１スライド突片２８３は、引っ張り方向線上の接合面２７５から突出する突出片２８３ａと突出片２８３ａの先端から屈曲して折り返る返し片２８３ｂとから概ね構成してある。突出片２８３ａと返し片２８３ｂとの間に形成されるＶゾーンが第１スライド凹部２８５となる。第１スライド凹部２８５は、突出片２８３ａと返し片２８３ｂとをつなぐ仕切り片２８３ｃによって幅方向に仕切られている。
【００８２】
第２スライド突片２８７は、磁石片２７９（図５４参照）を挟んで第１スライド突片２８３と反対側に形成してあり、その中央には縦方向に切り欠き２８７ａを形成してある。第２スライド突片とスライドテール部２９１との間に第２スライド凹部２８９が形成される。接合時の第１スライド突片２８３は第２スライド凹部２８９´に嵌合するようになっていて、この際に仕切り片２８３ｃが切り欠き２８７´ａに嵌合して幅方向（引っ張り方向と垂直な方向）の移動を制限するようにしてある。したがって、仕切り片２８３ｃの周壁が突出壁２８３ｃｗ（図５２（ｂ）に２８３´ｃｗと表示）に、切り欠き２８７´ａの周壁が後退壁２８７ｃｗ（図５２（ｂ）に２８７´ｃｗと表示）に、それぞれ該当する。一方、接合時の第２スライド突片２８７は第１スライド凹部２８５´に嵌合するようになっている（図５４参照）。
【００８３】
接合時には第１スライド突片２８３（返し片２８３ｂ）の頂面であるスライド面２８３ｓとスライドテール部２９１´のスライド面２９１´ｓが接触可能に形成してあり、両者はスライド解除時にスライド（摺動）するようになっている（図５５参照）。なお、連結片本体２７３とこれに続くスライドテール部２９１の部分が山裾のように緩やかな湾曲凹面を形成している。この湾曲凹面は押圧解除時に指を当てるための押圧面２９３となる。押圧面２９３，２９３´を押圧すると、図５５に示すように、引っ張り方向と傾斜した方向にスライド解除される。
【００８４】
第１スライド突片２８３（２８３´）と第２スライド凹部２８９´（２８９）の嵌合が引っ張り方向に対する抗力を生じさせ、これらにスライドテール部２９１（２９１´）とスライド面２８３´ｓ（２８３ｓ）を加えた全体構造が、第１４変形例におけるスライド案内構造２８１を構成する。
【００８５】
（本実施形態の第１５変形例）
図５６〜５９に基づいて本実施形態の第１５変形例を説明する。第１５変形例は、先に述べた第１２変形例とほぼ同じ構造を備えている。すなわち、第１５変形例に係る連結具３０１は、図５７〜５９に示すように一方の連結片本体３０３と他方の連結片本体３０３´を備えている。連結片本体３０３は平面視したとき卵形に近い楕円形に形成してあり、その長辺上の連結片本体３０３に形成した凹部３０３ａの中に取付片３０７を設けてある（図５９参照）。接合面３０５には埋設された磁石片３０９の吸着面を臨ませてある。接合面３０５の磁石片３０９を長辺方向に挟んだ一方側には傾斜突片３１３を、他方側には傾斜受入孔３１５を、それぞれ形成してある。傾斜受入孔３１５は傾斜突片３１３をスライドイン（滑り入れる）とスライドアウト（滑り出させる）できるように上面開口の孔であり、両者は第１５変形例におけるスライド案内構造３１１を構成する。スライド案内構造３１１の作用効果は、第１２変形例に係るスライド案内構造２４０と同じである。
【００８６】
符号３１７は、紐体であるネックレスの珠などを保護するためのカバーキャップを示す。図５９に示すように中心孔３１７ｈを介して紐体を取付片３０７に連結するようになっている。第１５変形例では取付片３０７が連結片本体３０３から突き出る部分が短いためその分だけ珠の位置が連結片本体３０３に近い。このため解除時に連結片本体３０３（３０３´）が珠に接触して傷をつける恐れがあるので、これをなくすための部材である。
【００８７】
（本実施形態の第１６変形例）
図６０〜６２に基づいて本実施形態の第１６変形例を説明する。第１６変形例に係る連結具３２１が、本実施形態に係るそれと異なるのは、主として連結片本体とスライド案内構造の形状のみであるから、その点だけ説明する。
【００８８】
第１６変形例に係る連結具３２１は一対の連結片本体３２３，３２３´から構成してあり、両者は互いに対称な形状に形成してある。ここでは連結片本体３２３を中心に説明する。連結片本体３２３は平面視ほぼ円形に形成してあり、その接合面３２５の中心に磁石片３２９を１個埋設してある一方、その一端には取付片３２７を設けてある。スライド案内構造３３１は、スライド突片３３３とスライド受入孔３３５とから構成してある。スライド突片３３３は接合面３２５から突出する突出壁３３３ａを、スライド受入孔３３５は接合面３２５から後退する後退壁３３５ａを、それぞれ備えている。スライド突片３３３の上端面３３３ｔは、図６０に示すように接合面３２５に対してスライド方向（引っ張り方向に対して側面視斜め上、図６２参照）に上り傾斜している。スライド受入孔３３５のスライド溝底３３５ｂも同様である。連結具３２１の作用効果については本実施形態に係る連結具１におけるそれと異ならない。
【００８９】
（本実施形態の第１７変形例）
図６３〜６５に基づいて本実施態の第１７変形例を説明する。第１７変形例に係る連結具３４１が、本実施形態に係るそれと異なるのは、主として連結片本体とスライド案内構造の形状のみであるから、その点だけ説明する。
【００９０】
図６３および６４に示すように、第１７変形例に係る連結具３４１は一対の連結片本体３４３，３４３´から構成してあり、両者は互いに対称な形状に形成してある。ここでは連結片本体３４３を中心に説明する。連結片本体３４３は平面視ほぼ矩形に形成してあり、蒲鉾類似する形状のドーム部３４３ａ（図６３〜６５では陰に隠れて見えないが符号を付しておく）と、ドーム部３４３ａに形成した指当て用の凹部３４３ｂを備えている。連結片本体３４３の接合面３４５の中心に磁石片３４９を１個（透明にして符号のみ付した）埋設してある一方、その短辺側一端には短辺長とほぼ同じの幅寸法に形成した矩形の取付片３４７を設けてある。スライド案内構造３５１は、スライド突片３５３とスライド受入孔３５５とから構成してある。
【００９１】
スライド突片３５３は、肩部に丸みを付けた細長い長方体に形成してあり、連結片本体３４３の接合面３４５上の長辺端に配してある。符号３５３ａ，３５３ａ，３５３ｂは、スライド突片３５３の一部を構成し接合面３４５から突出する突出壁を示す。スライド受入孔３５５は、スライド突片３５３がスライドイン、スライドアウトができる角部に丸みをもった細長い長方体状の孔であり、スライド突片３５３と対向する他の長辺端に形成してある。これにより、接合面３４５と連結片本体３４３の側面の一部が切り欠かれた状態になる。符号３５５ａ，３５５ａ，３５５ｂは、接合面３４５から後退する後退壁を示す。後退壁３５５ａ，３５５´ａは対となる突出壁３５３´ａ，３５３ａに対応し、後退壁３５５ｂは同じく突出壁３５３´ｂと対応する。連結具３４１の作用効果については本実施形態に係る連結具１におけるそれと基本的に同じである。
【００９２】
なお、上記したスライド突片３５３（３５３´）の突出壁３５３ａ，３５３ａ（３５３´ａ，３５３´ａ）は、接合面３４５（３４５´）からほぼ垂直に突出しているが、図６５に示すように、斜めにすることもできる。さらに、図示は省略するが、突出壁３５３ａ，３５３ａ（３５３´ａ，３５３´ａ）を接合面３４５から見て台形状に形成し、これに対応させ後退壁３５５ａ，３５５ａ（３５５´ａ，３５５´ａ）を逆さ台形状に形成してもよい。このように形成することにより、連結片本体３４３に対する連結片本体３４３´の離れ方向に対する抗力を増すことができ、これによって、不測の外れ防止をより有効なものとすることができる。
【００９３】
（本実施形態の第１８変形例）
図６６〜６９に基づいて本実施態の第１８変形例を説明する。第１８変形例に係る連結具３６１は、先に述べた第１７変形例をさらに変形したものであり、異なるのはスライド案内構造の形状のみであるから、その点だけ説明する。
【００９４】
図６６および６７に示すように、第１８変形例に係る連結具３６１は一対の連結片本体３６３，３６３´から構成してあり、両者は互いに対称な形状に形成してある。この点は、第１７変形例と異ならない。連結片本体３６３の接合面３６５の中心に磁石片３６９を１個（透明にして符号のみ付した）埋設してある。スライド案内構造３７１は、スライド突片３７３とスライド受入溝３７５とから構成してある。
【００９５】
スライド突片３７３は、接合面３６５の短辺に沿って延びる細長い突条であり、磁石片３６９の一側に配してある。符号３７３ａ，３７３ａは、スライド突片３７３の一部を構成し接合面３６５から突出する突出壁を示す。一方、スライド受入孔３７５は、スライド突片３７３´がスライドイン、スライドアウトができる細長い溝であり、スライド突片３７３´と対応する位置に形成してある。符号３７５ａ，３７５ａは、接合面３６５から後退する後退壁を示す。後退壁３７５ａ，３７５ａは対となる突出壁３７３´ａ，３７３´ａに対応する。連結具３６１の作用効果については本実施形態に係る連結具１におけるそれと基本的に同じである。
【００９６】
なお、上記したスライド突片３７３（３７３´）の突出壁３７３ａ，３７３ａ（３７３´ａ，３７３´ａ）は、接合面３６５（３６５´）からほぼ垂直に突出しているが、図６８に示すように、斜めにすることもできる。さらに、図６９に示すように、突出壁３７３ａ，３７３ａ（３７３´ａ，３７３´ａ）を接合面３６５から見て台形状に形成し、これに対応させ後退壁３７５ａ，３７５ａ（３７５´ａ，３７５´ａ）を逆さ台形状に形成してもよい。このように形成することにより、連結片本体３６３に対する連結片本体３６３´の離れ方向に対する抗力を増すことができ、これによって、不測の外れ防止をより有効なものとすることができる。
【符号の説明】
【００９７】
１，１Ａ，１Ｂ，５１，５１Ａ，５１Ｂ，７１，８３，８３Ａ，１５１，２０１，２２１，２３１，２５１，２７１，３０１，３２１，３４１，３６１・・・磁石連結具
３・・・紐体
１１，１１Ａ，５２，７３，８４，８４Ａ，２７２・・・連結片
１３，５３，７４，８５，１５３，２０３，２２３，２３３，２５３，２７３，３０３，３２３，３４３，３６３・・・連結片本体
１５，１５Ａ，１５Ｂ，５５，５５Ｂ，７７，８７，１５５，２０５，２２４，２３５，２５５，２７５，３０５，３２５，３４５，３６５・・・接合面
１６・・・表面
１９，６１，７５・・・開放端
２１，６１，７６・・・閉鎖端
２２・・・支持片
２３，５４，８６，１５７，２０８，２２９，２３７，２５７，２７７，３０７，３２７，３４７・・・取付片
２５，６３，６３Ｂ，８７ｈａ，８７ｈｂ，８７ｈｃ，２０７・・・埋設孔
２７，６７Ｂｋ，６８Ｂｋ・・・固定爪
２９・・・受入凹部
３１，６５，６５Ｂ，７８，１５９，２１１，２２４ｍ，２３９，２５９，２７９，３０９，３２９，３４９，３６９・・・磁石片
３３・・・ヨーク
４１，６６，６６Ａ，６６Ｂ，７９，９１，１６１，２１５，２２５，２４０，２６１，２８１，３１１，３３１，３５１，３７１・・・スライド案内構造
４３，４３Ａ，６７，６７Ａ，６７Ｂ，８０，１６３，２１７，２２７，３３３，３５３，３７３・・・スライド突片
４３ａ，４３Ａａ，４５ａ，６７ａ，６７Ａａ，６７Ｂａ，８０ａ，１６３ａ，２１７ａ，２２７ａ，３３３ａ，３５３ａ，３５３ｂ・・・突出壁
４５ｃ，４５Ａｃ，６８ａ，６８Ａａ，６８Ｂａ，８１ａ，１６５ａ，２１９ａ，２２８ａ，３３５ａ，３５５ａ，３５５ｂ・・・後退壁
４３ｔ，４３Ａｔ，１６３ｔ，３３３ｔ・・・上端面
４４Ａ，４４Ｂ，８８ｐａ，８８ｐｂ，８８ｐｃ・・・乗り上げ突片
４５，４５Ａ，６８，６８Ａ，８１，２１９，２２８・・・スライド溝
４５ａ，１６５ｂ，３３５ｂ・・・スライド溝の溝底
４６Ａ，４６Ｂ，８８ｑａ，８８ｑｂ，８８ｑｃ・・・逃げ凹部
５９・・・延長開放端
６７Ｂｐ，６８Ｂｐ・・・凹部
８８・・・段部
１００・・・親指
１０２・・・人差し指
１１１，１２１・・・磁石
１１３・・・ホゾ
１１５・・・ホゾ穴
１６５，３３５・・・スライド受入孔
２０６，２９３・・・押圧面
２４１，２６３，３１３・・・傾斜突片
２４３，２６５，３１５・・・傾斜受入孔
２８３・・・第１スライド突片
２８３ｃ・・・仕切り片
２８５・・・第１スライド凹部
２８７・・・第２スライド突片
２８７ａ・・・切り欠き
２８９・・・第２スライド凹部
２９１・・・スライドテール部
３３５，３５５・・・スライド受入孔
３７５・・・スライド受入溝
Ｔ・・・工具
【図１】
0005565631.tif 000002
【図２】
0005565631.tif 000003
【図３】
0005565631.tif 000004
【図４】
0005565631.tif 000005
【図５】
0005565631.tif 000006
【図６】
0005565631.tif 000007
【図７】
0005565631.tif 000008
【図８】
0005565631.tif 000009
【図９】
0005565631.tif 000010
【図１０】
0005565631.tif 000011
【図１１】
0005565631.tif 000012
【図１２】
0005565631.tif 000013
【図１３】
0005565631.tif 000014
【図１４】
0005565631.tif 000015
【図１５】
0005565631.tif 000016
【図１６】
0005565631.tif 000017
【図１７】
0005565631.tif 000018
【図１８】
0005565631.tif 000019
【図１９】
0005565631.tif 000020
【図２０】
0005565631.tif 000021
【図２１】
0005565631.tif 000022
【図２２】
0005565631.tif 000023
【図２３】
0005565631.tif 000024
【図２４】
0005565631.tif 000025
【図２５】
0005565631.tif 000026
【図２６】
0005565631.tif 000027
【図２７】
0005565631.tif 000028
【図２８】
0005565631.tif 000029
【図２９】
0005565631.tif 000030
【図３０】
0005565631.tif 000031
【図３１】
0005565631.tif 000032
【図３２】
0005565631.tif 000033
【図３３】
0005565631.tif 000034
【図３４】
0005565631.tif 000035
【図３５】
0005565631.tif 000036
【図３６】
0005565631.tif 000037
【図３７】
0005565631.tif 000038
【図３８】
0005565631.tif 000039
【図３９】
0005565631.tif 000040
【図４０】
0005565631.tif 000041
【図４１】
0005565631.tif 000042
【図４２】
0005565631.tif 000043
【図４３】
0005565631.tif 000044
【図４４】
0005565631.tif 000045
【図４５】
0005565631.tif 000046
【図４６】
0005565631.tif 000047
【図４７】
0005565631.tif 000048
【図４８】
0005565631.tif 000049
【図４９】
0005565631.tif 000050
【図５０】
0005565631.tif 000051
【図５１】
0005565631.tif 000052
【図５２】
0005565631.tif 000053
【図５３】
0005565631.tif 000054
【図５４】
0005565631.tif 000055
【図５５】
0005565631.tif 000056
【図５６】
0005565631.tif 000057
【図５７】
0005565631.tif 000058
【図５８】
0005565631.tif 000059
【図５９】
0005565631.tif 000060
【図６０】
0005565631.tif 000061
【図６１】
0005565631.tif 000062
【図６２】
0005565631.tif 000063
【図６３】
0005565631.tif 000064
【図６４】
0005565631.tif 000065
【図６５】
0005565631.tif 000066
【図６６】
0005565631.tif 000067
【図６７】
0005565631.tif 000068
【図６８】
0005565631.tif 000069
【図６９】
0005565631.tif 000070
【図７０】
0005565631.tif 000071